(57)【要約】【課題】広画角で高性能な、新規な投射用ズームレンズの実現を課題とする。【解決手段】画像表示そしに表示された投射用画像を被投射面に投射して拡大表示させる画像表示装置に用いられる投射用ズームレンズであって、拡大側から縮小側へ向かって第１ないし第４レンズ群Ｇ１ないしＧ４を配してなる４レンズ群構成であり、第１レンズ群Ｇ１は負、第２レンズ群Ｇ２は負、第３レンズ群Ｇ３は正の屈折力をそれぞれ有し、広角端から望遠端への変倍に際し、第４レンズ群Ｇ４が拡大側へ移動することを特徴とする。【選択図】図１
2014219540.tif 000002
【特許請求の範囲】
【請求項１】
画像表示素子に表示された投射用画像を被投射面に投射して拡大表示させる画像表示装置に用いられる投射用ズームレンズであって、
４レンズ群構成で、拡大側から縮小側へ向かって順次、第１ないし第４レンズ群が配置され、
第１レンズ群は、負の屈折力を有し、
第２レンズ群は、負の屈折力を有し、
第３レンズ群は、正の屈折力を有し、
広角端から望遠端への変倍に際し、第４レンズ群が拡大側に移動することを特徴とする投射用ズームレンズ。
【請求項２】
請求項１に記載の投射用ズームレンズにおいて、  
広角端から望遠端への変倍に際し、第２レンズ群は縮小側に移動し、第３レンズ群が拡大側に移動することを特徴とする投射用ズームレンズ。
【請求項３】
請求項１に記載の投射用ズームレンズにおいて、
広角端から望遠端への変倍に際して、第２レンズ群が、緩やかで単調に縮小側へ移動するか、もしくは、縮小側に凸となる軌跡を描いて移動することを特徴とする投射用ズームレンズ。
【請求項４】
請求項１ないし３の任意の１に記載の投射用ズームレンズにおいて、  
広角端から望遠端への変倍に際し、第３レンズ群が拡大側に移動し、
変倍の際の、第３レンズ群の移動量：Ｄ３と第４レンズ群の移動量：Ｄ４とが、条件：
（４）  １．０  ＜  Ｄ３／Ｄ４  ＜  １．２
を満足することを特徴とする投射用ズームレンズ。
【請求項５】
請求項１ないし４の任意の１に記載の投射用ズームレンズにおいて、  
広角端から望遠端への変倍に際し、第１レンズ群が固定であることを特徴とする投射用ズームレンズ。
【請求項６】
請求項１ないし５の任意の１に記載の投射用ズームレンズにおいて、
第３レンズ群の焦点距離：Ｆ３、第４レンズ群の焦点距離：Ｆ４が、条件：
（２）  ｜Ｆ３｜＜｜Ｆ４｜  
を満足することを特徴とする投射用ズームレンズ。
【請求項７】
請求項１ないし６の任意の１に記載の投射用ズームレンズにおいて、
広角端における第３レンズ群と第４レンズ群の合成焦点距離：Ｆ３-４ｗ、望遠端における第３レンズ群と第４レンズ群の合成焦点距離：Ｆ３-４ｔが、条件：
（３）  ０．９  ＜  Ｆ３-４ｗ／Ｆ３-４ｔ  ＜  １．１  
を満足することを特徴とする投射用ズームレンズ。
【請求項８】
請求項１ないし７の任意の１に記載の投射用ズームレンズにおいて、
第４レンズ群の屈折率が、全レンズ群中で、絶対値において最も小さいことを特徴とする投射用ズームレンズ。
【請求項９】
請求項１ないし８の任意の１に記載の投射用ズームレンズにおいて、  
広角端から望遠端への変倍に際して、第２レンズ群が緩やかに縮小側に移動し、第３レンズ群と第４レンズ群が個別に拡大側に移動することを特徴とする投射用ズームレンズ。
【請求項１０】
請求項１ないし９の任意の１に記載の投射用ズームレンズにおいて、
広角端における半画角：ωｗが、条件：
（１）  ３４度  ＜  ωｗ  ＜  ５０度  
を満足することを特徴とする投射用ズームレンズ。
【請求項１１】
光源と、
投射用画像を表示する画像表示素子と、
前記光源から射出した光で、上記画像表示素子を照明する照明光学系と、  
該照明光学系により照射され、前記画像表示素子に表示された投射用画像により変調された投射光束を入射され、被投射面に前記投射用画像の拡大画像を投射する投射光学系と、を備え、
前記投射光学系として、請求項１ないし１０の任意の１に記載の投射用ズームレンズを用いることを特徴とする画像表示装置。
【発明の詳細な説明】
【技術分野】
【０００１】
この発明は、投射用ズームレンズと画像表示装置に関する。
【０００２】
画像表示装置は、プロジェクタ装置として実施できる。
【背景技術】
【０００３】
装置前方のスクリーン上に拡大画像を投射するフロント投射型のプロジェクタ装置は、企業でのプレゼンテーション用や学校での教育用、家庭用に近年広く普及している。
【０００４】
拡大投射される画像を「画像表示面」上に表示する画像表示素子は「ライトバルブ」とも呼ばれるが、液晶パネルを初めとして、種々のタイプのものが知られている。
【０００５】
近年、テキサスインスツルメント社製のデジタルマイクロミラーデバイス（ＤＭＤ）に代表される「微小ミラーデバイス」が、ライトバルブとして注目されている。
【０００６】
投射用ズームレンズは勿論、種々のライトバルブに適用可能であることが好ましい。
【０００７】
上記微小ミラーデバイスでは、画像表示面にアレイ配列されたマイクロミラーを選択的に傾斜させて画像の表示を行う。
【０００８】
微小ミラーデバイスは、ライトバルブとして用いる場合、種々の制約条件があるが、プロジェクタ装置の小型化や高輝度化に有利であり、近来、広く普及しつつある。
【０００９】
近来、投射用ズームレンズには「高倍率であり、かつ広角であること」が要請されるようになってきている。
【００１０】
「画像の投射に用いられるレンズ」は、一般に、結像光線として「斜光線」が用いられる点で、カメラ用の撮影レンズ系と異なる。  
カメラ用の撮影レンズでは、レンズ系の光軸に対する回転対称な領域が撮影領域となり、広画角の撮影レンズでは「レンズ光軸を中心とする大きな撮影領域」が可能である。
【００１１】
画像の投射に用いられるレンズでは、投射画像が斜光線により結像されるため、画像投射領域として利用できるのは前記「レンズ光軸を中心とする大きな領域」の一部である。
【００１２】
このため、画像を投射される被投射面の大面積化には、投射用ズームレンズの広角化が欠かせない。
【００１３】
また、近時は、プロジェクタ装置の投射距離を小さくし、プロジェクタ装置を被投射面に「より近づけて配置」することが強く要請されている。
【００１４】
このような被投射面への近接配置で、且つ、大面積の被投射面を実現するためにも、投射用ズームレンズには、さらなる広角化が望まれる。
【００１５】
４レンズ群で構成した投射用ズームレンズは、従来から種々知られている。  
特許文献１は、拡大側（スクリーン側）から縮小側（ライトバルブ側）へ、負・負・正・正の４レンズ群を配した４レンズ群構成の投射用ズームレンズを開示している。
【００１６】
特許文献１に記載された投射用ズームレンズは、収差が十分に抑えられているが、広角端での半画角は２９度に留まり、近時の要請に十分応えているとは言いがたい。
【発明の概要】
【発明が解決しようとする課題】
【００１７】
この発明は上述した事情に鑑み、広画角で高性能な、新規な投射用ズームレンズの実現を課題とする。
【課題を解決するための手段】
【００１８】
この発明の投射用ズームレンズは、画像表示素子に表示された投射用画像を被投射面に投射して拡大表示させる画像表示装置に用いられる投射用ズームレンズであって、４レンズ群構成で、拡大側から縮小側へ向かって順次、第１ないし第４レンズ群が配置され、第１レンズ群は、負の屈折力を有し、第２レンズ群は、負の屈折力を有し、第３レンズ群は、正の屈折力を有し、広角端から望遠端への変倍に際し、第４レンズ群が拡大側に移動することを特徴とする。
【発明の効果】
【００１９】
この発明によれば、広画角で高性能な、新規な投射用ズームレンズを実現できる。
【図面の簡単な説明】
【００２０】
【図１】実施例１の投射用ズームレンズの構成を示す断面図である。
【図２】実施例１の投射用ズームレンズの収差曲線図である。
【図３】実施例２の投射用ズームレンズの構成を示す断面図である。
【図４】実施例２の投射用ズームレンズの収差曲線図である。
【図５】実施例３の投射用ズームレンズの構成を示す断面図である。
【図６】実施例３の投射用ズームレンズの収差曲線図である。
【図７】実施例４の投射用ズームレンズの構成を示す断面図である。
【図８】実施例４の投射用ズームレンズの収差曲線図である。
【図９】実施例５の投射用ズームレンズの構成を示す断面図である。
【図１０】実施例５の投射用ズームレンズの収差曲線図である。
【図１１】実施例６の投射用ズームレンズの構成を示す断面図である。
【図１２】実施例６の投射用ズームレンズの収差曲線図である。
【図１３】実施例７の投射用ズームレンズの構成を示す断面図である。
【図１４】実施例７の投射用ズームレンズの収差曲線図である。
【図１５】実施例８の投射用ズームレンズの構成を示す断面図である。
【図１６】実施例８の投射用ズームレンズの収差曲線図である。
【図１７】実施例９の投射用ズームレンズの構成を示す断面図である。
【図１８】実施例９の投射用ズームレンズの収差曲線図である。
【図１９】画像表示装置としてのプロジェクタ装置の概略構成図である。
【発明を実施するための形態】
【００２１】
以下、発明を実施する形態を説明する。
【００２２】
この発明のズームレンズは、上記の如く「投射用ズームレンズ」である。  
前述の如く、「投射用のレンズ」は結像光線が「斜光線」であり、この発明の投射用ズームレンズでも、投射画像を結像する投射用光束としては「斜光線の光束」が用いられる。
【００２３】
図１、図３、図５、図７、図９、図１１、図１３、図１５、図１７に、投射用ズームレンズの実施の形態を９例示す。
【００２４】
これらの実施の形態の投射用ズームレンズは、この順に、後述する具体的な実施例１ないし９に相当する。  
上記各図において、図の左方が「拡大側」、右方が「縮小側」である。「拡大側」は、スクリーン等の被投射面に向かう側であり、「縮小側」は画像表示素子に向かう側である。
【００２５】
即ち、各実施の形態の投射用ズームレンズは、画像表示素子に表示された投射用画像を、投射光学系により被投射面に投射して拡大表示する投射光学系を構成する。
【００２６】
繁雑を避けるために、上記各図において符号を共通化する。  
上記各図において、符号Ｇ１は第１レンズ群、符号Ｇ２は第２レンズ群、符号Ｇ３は第３レンズ群、符号Ｇ４は第４レンズ群をそれぞれ示す。
【００２７】
即ち、上記各図に実施の形態を示す投射用ズームレンズは、拡大側から縮小側へ向かって第１レンズ群Ｇ１ないし第４レンズ群Ｇ４を順次配してなる４レンズ群構成である。
【００２８】
また、第３レンズ群Ｇ３以下には「開口絞り」が配置されている。
【００２９】
さらに、上記各図において、符号ＣＧは「画像表示素子（ライトバルブ）のカバーガラス」を示す。  
これら実施の形態・実施例において、ライトバルブとしては「微小ミラーデバイスであるＤＭＤ」を想定しているが、勿論、ライトバルブがこれに限定される訳ではない。
【００３０】
上記各図の、上段の図は「広角端におけるレンズ群配置（広角と表示）」を示し、下段の図は「望遠端におけるレンズ群配置（望遠と表示）」を示す。
【００３１】
また、これ等の図における「上段の図と下段の図の間に描かれた矢印」は、広角端から望遠端への変倍の際の、第２レンズ群Ｇ２ないし第４レンズ群Ｇ４の変移の方向を示す。
【００３２】
各レンズ群を構成するレンズについては、第ｉレンズ群（ｉ＝１〜４）において、拡大側から数えて第ｊ番目のレンズを「Ｌｉｊ」で表す。
【００３３】
上記各図に実施の形態を示す投射用ズームレンズにおいて、第１レンズ群Ｇ１と第２レンズ群Ｇ２とはともに負の屈折力を有し、第３レンズ群は正の屈折力を有する。  
即ち、第１ないし第４レンズ群において、第１レンズ群Ｇ１ないし第３レンズ群Ｇ３の屈折力配分は「負・負・正」である。
【００３４】
第４レンズ群Ｇ４の屈折力は、後述する具体的な実施例におけるように「正または負」であることができる。  
広角端から望遠端への変倍に際しては、第４レンズ群Ｇ４が拡大側へ移動する。
【００３５】
第４レンズが拡大側に移動することにより「変倍に伴う収差変動」を小さくすることが可能となり、特に、像面湾曲の変動量を小さくすることができる。
【００３６】
以下に説明する実施の各形態の投射用ズームレンズは、以下の条件（１）を満足する。
【００３７】
（１）    ３４度  ＜  ωｗ  ＜５０度  
条件（１）は、広角端における半画角の範囲を規定している。  
即ち、この発明の投射用ズームレンズの広角端における半画角は、３４度よりも大きく、５０度未満であり、該ズームレンズは極めて広画角である。
【００３８】
このような条件を満足させるには、負レンズ群先行型が好ましい。
【００３９】
この発明の投射用ズームレンズは、第１レンズ群Ｇ１ないし第３レンズ群Ｇ３の屈折力分布を「負・負・正」として、負レンズ群（第１と第２レンズ群）を先行させている。
【００４０】
負レンズ群先行とすることで、主光線高さをより低くすることができ、レンズ有効径を小さく出来る。従って、広画角の投射用ズームレンズをコンパクトに実現可能である。
【００４１】
また、画像投射時の第２レンズ群から第１レンズ群への「光束の跳上げ角」を小さく抑えることができる。
【００４２】
画像投射時には、ライトバルブ側からの投射光束（斜光線による光束）が、第４レンズ群の側から、第１レンズ群側へ導光される。
【００４３】
このとき、第１レンズ群Ｇ１、第２レンズ群Ｇ２が共に負であるので、第３レンズ群からの光束の発散角を、第２、第１レンズ群で無理なく拡大できる。
【００４４】
従って上記の如く、第２レンズ群Ｇ２から第１レンズ群Ｇ１へ受け渡される光束の跳上げ角を小さく抑えることができる。
【００４５】
このため、第１レンズ群Ｇ１から放射される結像光束の発散角を無理なく増大出来る。
【００４６】
また、製造時のレンズの偏心による性能劣化を抑制させる効果がある。
【００４７】
この発明の投射用ズームレンズは、広角端から望遠端への変倍に際し、第２レンズ群は縮小側に移動し、第３レンズ群が拡大側に移動することが好ましい。
【００４８】
広角端から望遠端への変倍に際し、第２レンズ群は、「緩やかで単調に縮小側へ移動」するか、もしくは「縮小側に凸となる軌跡を描いて移動」することができる。
【００４９】
広角端から望遠端への変倍に際して、第３レンズ群が拡大側へ移動する場合、投射用ズームレンズは、上記の如き構成に加え、以下の条件（４）を満足することが好ましい。
【００５０】
（４）  １．０  ＜  Ｄ３／Ｄ４  ＜  １．２  
条件（４）において「Ｄ３」、「Ｄ４」はそれぞれ、変倍の際の、第３レンズ群Ｇ３と第４レンズ群Ｇ４の移動量である。
【００５１】
第３レンズ群Ｇ３と第４レンズ群Ｇ４の移動の向きが同じ向きであるので、移動量：Ｄ３、Ｄ４は同符号である。
【００５２】
条件（４）を満足することにより、１．４５倍以上の変倍比で「広角短から望遠端にいたる全変倍域」における高性能の保持が容易に可能となる。  
条件（４）の範囲外では、変倍時に、特に望遠側の諸収差の変動が大きくなり易い。
【００５３】
この発明の投射用ズームレンズはまた、広角端から望遠端への変倍に際し、第１レンズ群が固定であることが好ましい。
【００５４】
このように、変倍に際して第１レンズ群Ｇ１が固定されると、画像形成装置に装備された投射用ズームレンズの外形が変化しない。
【００５５】
従って、変倍時に第１レンズ群が移動するタイプと比較すると「レンズ群の偏心」が発生しにくい利点がある。
【００５６】
第１レンズ群ないし第４レンズ群の、変倍に伴う上記の如き移動は、変倍に伴う諸収差の変動量、特に、コマ収差の変動量を小さくすることを可能とする。
【００５７】
この発明の投射用ズームレンズは、上述した構成に加え、以下の条件（２）、（３）の１以上を満足させることにより、さらに良好な性能を実現できる。
【００５８】
（２）  ｜Ｆ３｜＜｜Ｆ４｜  
（３）  ０．９  ＜  Ｆ３-４ｗ／Ｆ３-４ｔ  ＜  １．１              。
【００５９】
条件（２）、（３）におけるパラメータの記号の意味は、以下の通りである。
【００６０】
「Ｆ３」は第３レンズ群の焦点距離、「Ｆ４」は第４レンズ群の焦点距離である。
【００６１】
「Ｆ３-４ｗ」は、広角端における「第３レンズ群と第４レンズ群の合成焦点距離」で、「Ｆ３-４ｔ」は望遠端における「第３レンズ群と第４レンズ群の合成焦点距離」である。
【００６２】
条件（２）は、焦点距離：Ｆ３、Ｆ４の絶対値の大小関係を規定している。
【００６３】
条件（２）が満足されない場合、投射用ズームレンズの全系のパワー配分をバランスさせるのが難しく、諸収差が大きく成り易い。
【００６４】
条件（２）を満足させることにより、全系のパワー配分をバランスさせ易く、諸収差の良好な補正が容易である。
【００６５】
条件（３）の上限を超えると、変倍の際に「第３レンズ群と第４レンズ群の合成焦点距離の差」が大きくなり、変倍時に球面収差と軸上色収差が大きく成り易い。
【００６６】
また、望遠端における非点収差が大きくなりやすい。
【００６７】
条件（３）の下限を超えると、望遠端におけるコマ収差が増大しやすい。
【００６８】
条件（３）を満足させることにより、望遠端における非点収差やコマ収差の増大を抑制し、変倍時の球面収差・軸上色収差の変動を有効に抑制することが可能になる。
【００６９】
第４レンズ群Ｇ４の屈折力は、全レンズ群中で「絶対値において最も小さい」ことが好ましい。  
第４レンズ群の屈折力が、絶対値において他のレンズ群の屈折力よりも大きくなると、全系のパワー配分をバランスさせ難くなり、諸収差の増大を招きやすい。
【００７０】
広角端から望遠端への変倍に際して、第２レンズ群Ｇ２が縮小側へ移動する場合、第２レンズ群Ｇ２の縮小側への移動は「緩やか」であるのが好ましい。
【００７１】
この場合、第３レンズ群Ｇ３と第４レンズ群Ｇ４が「個別」に、拡大側へ移動することが好ましい。
【００７２】
第２レンズ群Ｇ２ないし第４レンズ群Ｇ４の移動を上記の如くにすることで、変倍時の収差変動を小さく抑えることが容易で、高性能な投射用ズームレンズを実現可能である。
【００７３】
とくに、第１レンズ群を固定すると、コンパクト性も良好にできる。
【００７４】
広角端から望遠端への変倍に際して、第３レンズ群Ｇ３と第４レンズ群Ｇ４を拡大側に移動させると、変倍の際にも、バックフォーカスを確保しやすい。
【００７５】
従って、投射用ズームレンズのライトバルブとして、ＤＭＤ等の微小ミラーデバイスを用いやすい。
【００７６】
投射用ズームレンズの具体的な実施例を挙げる前に、図１９を参照して、画像表示装置の１形態例であるプロジェクタ装置の実施の１形態を簡単に説明する。
【００７７】
画像表示装置は、光源と、画像表示素子と、照明光学系と、投射光学系を有する。
【００７８】
「光源」は、被投射面上に投射する拡大画像を結像するための光を放射する。
【００７９】
「画像表示素子」は、投射用画像を表示する。
【００８０】
「照明光学系」は、光源から射出した光で、画像表示素子を照明する。
【００８１】
「投射光学系」は、照明光学系により照射され、画像表示素子に表示された投射用画像により変調された投射光束を入射され、被投射面に投射用画像の拡大画像を投射する。
【００８２】
図１９に示すプロジェクタ装置１は、ライトバルブ３として、微小ミラーデバイスであるＤＭＤを採用した例である。
【００８３】
プロジェクタ装置１は、照明系２と、ライトバルブであるＤＭＤ３と、投射光学系としての投射用ズームレンズ４とを有する。
【００８４】
投射用ズームレンズ４としては、請求項１ないし９の任意の１に記載されたもの、具体的には実施例１ないし９の何れかのものを用いる。
【００８５】
照明系２は、光源２１、コンデンサレンズＣＬ、ＲＧＢカラーホイールＣＷ、ミラーＭを備えており、これを配置するスペースを「ある程度大きく確保」する必要がある。
【００８６】
このため、照明系２からＤＭＤ３に入射させる照明光の入射角をある程度大きくする必要がある。  
投射用ズームレンズ４と照明系２のスペースの上記の如き関係上、投射用ズームレンズ４のバックフォーカスを「ある程度の大きさ」に確保する必要がある。
【００８７】
光源２１からの光を、コンデンサレンズＣＬを介して、ＲＧＢカラーホイールＣＷに入射させる。
【００８８】
ＲＧＢカラーホイールＣＷは、回転することによって、透過光をＲ（赤）、Ｇ（緑）、青（Ｂ）に順次に色分解する。即ち、ＲＧＢ３色の光が時間的に順次に分離される。
【００８９】
照明系２から「ＲＧＢ３色の光」を時間的に分離してＤＭＤ３に照射し、各色光が照射されるタイミングで個々の画素に対応するマイクロミラーの傾斜を制御する。
【００９０】
このようにしてＤＭＤ３に「投射用画像」が表示され、該投射用画像により強度変調された光が、投射用ズームレンズ４で拡大され、スクリーン５に拡大投射される。
【００９１】
なお、コンデンサレンズＣＬ、ＲＧＢカラーホイールＣＷと、ミラーＭとは「照明光学系」を構成する。
【００９２】
実施例１ないし９のズームレンズでは、広角端から望遠端への変倍に際して、第３レンズ群Ｇ３と第４レンズ群Ｇ４が拡大側に移動する。  
従って、変倍中においてもバックフォーカスは十分に大きく確保される。
【実施例】
【００９３】
以下、この発明の投射用ズームレンズの具体的な実施例を９例挙げる。
【００９４】
各実施例における記号の意味は以下の通りである。
【００９５】
Ｆ：光学系全体の焦点距離  
Ｆｎｏ：開口数  
Ｒ：曲率半径（非球面にあっては「近軸曲率半径」）  
Ｄ：面間隔  
Ｎｄ：屈折率  
νｄ：アッベ数  
ＢＦ：バックフォーカス                                  。
【００９６】
非球面は、周知の次式により表される。
【００９７】
Ｘ＝(Ｈ２／Ｒ)／[１＋{１−Ｋ(Ｈ／ｒ)２}１／２］  
＋Ｃ４・Ｈ４＋Ｃ６・Ｈ６＋Ｃ８・Ｈ８＋Ｃ１０・Ｈ１０＋・・・          。
【００９８】
この式において、Ｘは「面頂点を基準としたときの光軸からの高さＨの位置での光軸方向の変位」、Ｋは「円錐係数」、Ｃ４、Ｃ６、Ｃ８、Ｃ１０・・は「非球面係数」である。
【００９９】
「実施例１」
実施例１の投射用ズームレンズは、図１に示したものである。
【０１００】
図１に示すように、第１レンズ群Ｇ１はレンズＬ１１ないしＬ１３で構成され、第２レンズ群Ｇ２はレンズＬ２１ないしＬ２４で構成されている。
【０１０１】
第３レンズ群Ｇ３は２枚のレンズＬ３１とＬ３２で構成されている。
【０１０２】
第４レンズ群Ｇ４は４枚のレンズＬ４１ないしＬ４４で構成されている。
【０１０３】
前述の如く、ライトバルブとしてはＤＭＤが想定され、ＤＭＤはカバーガラスＣＧを有する。
【０１０４】
広角端から望遠端に変倍する際、第２レンズ群Ｇ２は縮小側に移動し、第３レンズ群Ｇ３と第４レンズ群Ｇ４は拡大側に移動する。
【０１０５】
第１レンズ群Ｇ１は、変倍に際して固定される。
【０１０６】
第１レンズ群Ｇ１は負群で、拡大側に凸の正メニスカスレンズＬ１１、拡大側に凸面を向けた負メニスカスレンズＬ１２、メニスカスレンズＬ１３で構成されている。
【０１０７】
メニスカスレンズＬ１３は、縮小側に凹でレンズ周辺部分が縮小側に変曲されている偏肉比が小さいメニスカスレンズである。
【０１０８】
第２レンズ群Ｇ２は負群で、両凸レンズＬ２１、両凹レンズＬ２２、両凹レンズＬ２３、両凸レンズＬ２４で構成されている。
【０１０９】
両凸レンズＬ２１と両凹レンズＬ２２は接合されている。
【０１１０】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１１１】
負メニスカスレンズＬ４１と両凸レンズＬ４２とは接合されている。
【０１１２】
なお、実施例１ないし９に関する説明において、「両凸レンズ」は正レンズのレンズ形態であり、「両凹レンズ」は負レンズのレンズ形態である。
【０１１３】
実施例１の、全系の焦点距離：Ｆの範囲、Ｆナンバ、広角端における半画角：ωｗは、以下のとおりである。
【０１１４】
Ｆ＝１６．３〜２４．４ｍｍ、Ｆｎｏ＝２．５５〜３．３３、ωｗ＝３５．７°
実施例１のデータを表１に示す。
【０１１５】
【表１】
2014219540.tif 000003
【０１１６】
表１において、「Ｓ（面番号）」は拡大側から数えた面の番号であり、開口絞りの面（表中の面番号：１８）、カバーガラスＣＧの面（表中の面番号：２６、２７）を含む。
【０１１７】
また、表中における「INF」は、曲率半径が無限大であることを示す。さらに、「＊」は、この記号が付された面が「非球面」であることを示す。
【０１１８】
これらの事項は、実施例２以下の各実施例においても同様である。
【０１１９】
「非球面のデータ」
非球面のデータを表２に示す。
【０１２０】
【表２】
2014219540.tif 000004
【０１２１】
表１の「Ｄの列」の、Ｓ６、Ｓ１３、Ｓ１８は「変倍に際して変化するレンズ群間隔」を表す。
【０１２２】
投射距離を２０００ｍｍとしたときの、上記レンズ群間隔を、広角端・中間・望遠端について、表３に示す。
【０１２３】
【表３】
2014219540.tif 000005
【０１２４】
「各条件のパラメータの値」
条件（１）ないし（４）のパラメータの値を、表４に示す。
【０１２５】
【表４】
2014219540.tif 000006
【０１２６】
図２に、実施例１の収差図を示す。  
図２の上段は「広角端（広角と表示）」、中段は「中間焦点距離（中間と表示）」、下段は「望遠端（望遠と表示）」の収差を示している。
【０１２７】
各段の収差図において、左側の図は「球面収差」、中央の図は「非点収差」、右側の図は「歪曲収差」である。
【０１２８】
「球面収差」の図におけるＲ、Ｇ、Ｂはそれぞれ、波長：Ｒ＝６２５ｎｍ、Ｇ＝５５０ｎｍ、Ｂ＝４６０ｎｍを表す。  
「非点収差」の図における「Ｔ」はタンジェンシアル、「Ｓ」はサジタルの各光線に対するものであることを示す。
【０１２９】
なお、非点収差および歪曲収差については、波長：５５０ｎｍについて示す。
【０１３０】
収差図におけるこれ等の表示は、以下の実施例２ないし９の収差図においても同様である。
【０１３１】
「実施例２」
実施例２の投射用ズームレンズは、図３に示したものである。
【０１３２】
図３に示すように、第１レンズ群Ｇ１はレンズＬ１１ないしＬ１３で構成され、第２レンズ群Ｇ２はレンズＬ２１ないしＬ２４で構成されている。
【０１３３】
第３レンズ群Ｇ３は２枚のレンズＬ３１とＬ３２で構成されている。
【０１３４】
第４レンズ群Ｇ４は４枚のレンズＬ４１ないしＬ４４で構成されている。
【０１３５】
ライトバルブとしてはＤＭＤが想定され、ＤＭＤはカバーガラスＣＧを有する。
【０１３６】
広角端から望遠端に変倍する際、第２レンズ群Ｇ２は縮小側に移動し、第３レンズ群Ｇ３と第４レンズ群Ｇ４は拡大側に移動する。
【０１３７】
第１レンズ群Ｇ１は負群で、拡大側に凸の負メニスカスレンズＬ１１、拡大側に凸面を向けた負メニスカスレンズＬ１２、メニスカスレンズＬ１３で構成されている。
【０１３８】
メニスカスレンズＬ１３は、縮小側に凹でレンズ周辺部分が縮小側に変曲されている偏肉比が小さいメニスカスレンズである。
【０１３９】
第２レンズ群Ｇ２は負群で、両凸レンズＬ２１、拡大側に凸の負メニスカスレンズＬ２２、両凹レンズＬ２３、両凸レンズＬ２４で構成されている。
【０１４０】
両凹レンズＬ２３と両凸レンズＬ２４は接合されている。
【０１４１】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１４２】
負メニスカスレンズＬ４１と両凸レンズＬ４２とは接合されている。
【０１４３】
実施例２の、全系の焦点距離：Ｆの範囲、Ｆナンバ、広角端における半画角：ωｗは、以下のとおりである。
【０１４４】
Ｆ＝１３．１〜１９．６ｍｍ、Ｆｎｏ＝２．５５〜３．３４、ωｗ＝４１．９°
実施例２のデータを表５に示す。
【０１４５】
【表５】
2014219540.tif 000007
【０１４６】
「非球面のデータ」
非球面のデータを表６に示す。
【０１４７】
【表６】
2014219540.tif 000008
【０１４８】
投射距離を１６００ｍｍとしたときの、レンズ群間隔を、広角端・中間・望遠端について、表７に示す。
【０１４９】
【表７】
2014219540.tif 000009
【０１５０】
「各条件のパラメータの値」
条件（１）ないし（４）のパラメータの値を、表８に示す。
【０１５１】
【表８】
2014219540.tif 000010
【０１５２】
図４に、実施例２の収差図を図２に倣って示す。
【０１５３】
「実施例３」
実施例３の投射用ズームレンズは、図５に示したものである。
【０１５４】
図５に示すように、第１レンズ群Ｇ１はレンズＬ１１ないしＬ１３で構成され、第２レンズ群Ｇ２はレンズＬ２１ないしＬ２４で構成されている。
【０１５５】
第３レンズ群Ｇ３は２枚のレンズＬ３１とＬ３２で構成されている。
【０１５６】
第４レンズ群Ｇ４は４枚のレンズＬ４１ないしＬ４４で構成されている。
【０１５７】
ライトバルブとしてはＤＭＤが想定され、ＤＭＤはカバーガラスＣＧを有する。
【０１５８】
広角端から望遠端に変倍する際、第２レンズ群Ｇ２は縮小側に移動し、第３レンズ群Ｇ３と第４レンズ群Ｇ４は拡大側に移動する。
【０１５９】
第１レンズ群Ｇ１は負群で、拡大側に凸の負メニスカスレンズＬ１１、拡大側に凸面を向けた負メニスカスレンズＬ１２、メニスカスレンズＬ１３で構成されている。
【０１６０】
メニスカスレンズＬ１３は、縮小側に凹でレンズ周辺部分が縮小側に変曲されている偏肉比が小さいメニスカスレンズである。
【０１６１】
第２レンズ群Ｇ２は負群で、両凸レンズＬ２１、拡大側に凸の負メニスカスレンズＬ２２、両凹レンズＬ２３、両凸レンズＬ２４で構成されている。
【０１６２】
両凹レンズＬ２３と両凸レンズＬ２４は接合されている。
【０１６３】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１６４】
負メニスカスレンズＬ４１と両凸レンズＬ４２とは接合されている。
【０１６５】
実施例３の、全系の焦点距離：Ｆの範囲、Ｆナンバ、広角端における半画角：ωｗは、以下のとおりである。
【０１６６】
Ｆ＝１１．５〜１７．２ｍｍ、Ｆｎｏ＝２．５６〜３．３４、ωｗ＝４５．５°
実施例３のデータを表９に示す。
【０１６７】
【表９】
2014219540.tif 000011
【０１６８】
「非球面のデータ」
非球面のデータを表１０に示す。
【０１６９】
【表１０】
2014219540.tif 000012
【０１７０】
投射距離を１４００ｍｍとしたときの、上記レンズ群間隔を、広角端・中間・望遠端について、表１１に示す。
【０１７１】
【表１１】
2014219540.tif 000013
【０１７２】
「各条件のパラメータの値」
条件（１）ないし（４）のパラメータの値を、表１２に示す。
【０１７３】
【表１２】
2014219540.tif 000014
【０１７４】
図６に、実施例３の収差図を図２に倣って示す。
【０１７５】
「実施例４」
実施例４の投射用ズームレンズは、図７に示したものである。
【０１７６】
図７に示すように、第１レンズ群Ｇ１はレンズＬ１１ないしＬ１３で構成され、第２レンズ群Ｇ２はレンズＬ２１ないしＬ２４で構成されている。
【０１７７】
第３レンズ群Ｇ３は２枚のレンズＬ３１とＬ３２で構成されている。
【０１７８】
第４レンズ群Ｇ４は４枚のレンズＬ４１ないしＬ４４で構成されている。
【０１７９】
ライトバルブとしてはＤＭＤが想定され、ＤＭＤはカバーガラスＣＧを有する。
【０１８０】
広角端から望遠端に変倍する際、第２レンズ群Ｇ２は縮小側に移動し、第３レンズ群Ｇ３と第４レンズ群Ｇ４は拡大側に移動する。
【０１８１】
第１レンズ群Ｇ１は負群で、拡大側に凸の負メニスカスレンズＬ１１、拡大側に凸面を向けた負メニスカスレンズＬ１２、メニスカスレンズＬ１３で構成されている。
【０１８２】
メニスカスレンズＬ１３は、縮小側に凹でレンズ周辺部分が縮小側に変曲されている偏肉比が小さいメニスカスレンズである。
【０１８３】
第２レンズ群Ｇ２は負群で、両凸レンズＬ２１、拡大側に凸の負メニスカスレンズＬ２２、両凹レンズＬ２３、両凸レンズＬ２４で構成されている。
【０１８４】
両凹レンズＬ２３と両凸レンズＬ２４は接合されている。
【０１８５】
第３レンズ群Ｇ３は正群で、２枚の正レンズＬ３１とＬ３２で構成されている。  
第４レンズ群Ｇ４は負群で、拡大側に凸の負メニスカスレンズＬ４１、両凸レンズＬ４２、拡大側に凹の負メニスカスレンズＬ４３、両凸レンズＬ４４で構成されている。
【０１８６】
負メニスカスレンズＬ４１と両凸レンズＬ４２とは接合されている。
【０１８７】
実施例４の、全系の焦点距離：Ｆの範囲、Ｆナンバ、広角端における半画角：ωｗは、以下のとおりである。
【０１８８】
Ｆ＝１０．３〜１５．４ｍｍ、Ｆｎｏ＝２．５６〜３．３４、ωｗ＝４８．６°
実施例４のデータを表１３に示す。
【０１８９】
【表１３】
2014219540.tif 000015
【０１９０】
「非球面のデータ」
非球面のデータを表１４に示す。
【０１９１】
【表１４】
2014219540.tif 000016
【０１９２】
投射距離を１２５０ｍｍとしたときの、上記レンズ群間隔を、広角端・中間・望遠端について、表１５に示す。
【０１９３】
【表１５】
2014219540.tif 000017
【０１９４】
「各条件のパラメータの値」
条件（１）ないし（４）のパラメータの値を、表１６に示す。
【０１９５】
【表１６】
2014219540.tif 000018
【０１９６】
図８に、実施例４の収差図を図２に倣って示す。
【０１９７】
「実施例５」
実施例５の投射用ズームレンズは、図９に示したものである。
【０１９８】
図９に示すように、第１レンズ群Ｇ１はレンズＬ１１ないしＬ１２で構成され、第２レンズ群Ｇ２はレンズＬ２１ないしＬ２４で構成されている。
【０１９９】
第３レンズ群Ｇ３は２枚のレンズＬ３１とＬ３２で構成されている。
【０２００】
第４レンズ群Ｇ４は４枚のレンズＬ４１ないしＬ４４で構成されている。
【０２０１】
ライトバルブとしてはＤＭＤが想定され、ＤＭＤはカバーガラスＣＧを有する。
【０２０２】
広角端から望遠端に変倍する際、第２レンズ群Ｇ２は縮小側に移動し、第３レンズ群Ｇ３と第４レンズ群Ｇ４は拡大側に移動する。
【０２０３】
第１レンズ群Ｇ１は負群で、拡大側に凸面を向けた負メニスカスレンズＬ１１、メニスカスレンズＬ１２で構成されている。
【０２０４】
メニスカスレンズＬ１２は、縮小側に凹でレンズ周辺部分が縮小側に変曲されている偏肉比が小さいメニスカスレンズである。
【０２０５】
第２レンズ群Ｇ２は負群で、両凸レンズＬ２１、両凹レンズＬ２２、両凹レンズＬ２３、両凸レンズＬ２４で構成されている。
【０２０６】
両凸レンズＬ２１と両凹レンズＬ２２は接合されている。
【０２０７】
第３レンズ群Ｇ３は正群で、２枚の正レンズＬ３１とＬ３２で構成されている。  
第４レンズ群Ｇ４は負群で、両凹レンズＬ４１、両凸レンズＬ４２、拡大側に凹の負メニスカスレンズＬ４３、両凸レンズＬ４４で構成されている。
【０２０８】
負メニスカスレンズＬ４１と両凸レンズＬ４２とは接合されている。
【０２０９】
実施例５の、全系の焦点距離：Ｆの範囲、Ｆナンバ、広角端における半画角：ωｗは、以下のとおりである。
【０２１０】
Ｆ＝１１．４〜１７．１ｍｍ、Ｆｎｏ＝２．５６〜３．３４、ωｗ＝４５．７°
実施例５のデータを表１７に示す。
【０２１１】
【表１７】
2014219540.tif 000019
【０２１２】
「非球面のデータ」
非球面のデータを表１８に示す。
【０２１３】
【表１８】
2014219540.tif 000020
【０２１４】
投射距離を１４００ｍｍとしたときの、上記レンズ群間隔を、広角端・中間・望遠端について、表１９に示す。
【０２１５】
【表１９】
2014219540.tif 000021
【０２１６】
「各条件のパラメータの値」
条件（１）ないし（４）のパラメータの値を、表２０に示す。
【０２１７】
【表２０】
2014219540.tif 000022
【０２１８】
図１０に、実施例５の収差図を図２に倣って示す。
【０２１９】
「実施例６」
実施例６の投射用ズームレンズは、図１１に示したものである。
【０２２０】
図１１に示すように、第１レンズ群Ｇ１はレンズＬ１１ないしＬ１３で構成され、第２レンズ群Ｇ２はレンズＬ２１ないしＬ２４で構成されている。
【０２２１】
第３レンズ群Ｇ３は２枚のレンズＬ３１とＬ３２で構成されている。
【０２２２】
第４レンズ群Ｇ４は４枚のレンズＬ４１ないしＬ４４で構成されている。
【０２２３】
ライトバルブとしてはＤＭＤが想定され、ＤＭＤはカバーガラスＣＧを有する。
【０２２４】
広角端から望遠端に変倍する際、第２レンズ群Ｇ２は縮小側に移動し、第３レンズ群Ｇ３と第４レンズ群Ｇ４は拡大側に移動する。
【０２２５】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２２６】
メニスカスレンズＬ１３は、縮小側に凹でレンズ周辺部分が縮小側に変曲されているメニスカスレンズである。
【０２２７】
第２レンズ群Ｇ２は負群で、両凸レンズＬ２１、両凹レンズＬ２２、両凹レンズＬ２３、両凸レンズＬ２４で構成されている。
【０２２８】
両凸レンズＬ２１と両凹レンズＬ２２は接合されている。
【０２２９】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２３０】
負メニスカスレンズＬ４１と両凸レンズＬ４２とは接合されている。
【０２３１】
実施例６の、全系の焦点距離：Ｆの範囲、Ｆナンバ、広角端における半画角：ωｗは、以下のとおりである。
【０２３２】
Ｆ＝１４．７〜２２．１ｍｍ、Ｆｎｏ＝２．５５〜３．３４、ωｗ＝３８．５°
実施例６のデータを表２１に示す。
【０２３３】
【表２１】
2014219540.tif 000023
【０２３４】
「非球面のデータ」
非球面のデータを表２２に示す。
【０２３５】
【表２２】
2014219540.tif 000024
【０２３６】
投射距離を１８００ｍｍとしたときの、上記レンズ群間隔を、広角端・中間・望遠端について、表２３に示す。
【０２３７】
【表２３】
2014219540.tif 000025
【０２３８】
「各条件のパラメータの値」
条件（１）ないし（４）のパラメータの値を、表２４に示す。
【０２３９】
【表２４】
2014219540.tif 000026
【０２４０】
図１２に、実施例６の収差図を図２に倣って示す。
【０２４１】
「実施例７」
実施例７の投射用ズームレンズは、図１３に示したものである。
【０２４２】
図１３に示すように、第１レンズ群Ｇ１はレンズＬ１１ないしＬ１３で構成され、第２レンズ群Ｇ２はレンズＬ２１ないしＬ２４で構成されている。
【０２４３】
第３レンズ群Ｇ３は２枚のレンズＬ３１とＬ３２で構成されている。
【０２４４】
第４レンズ群Ｇ４は４枚のレンズＬ４１ないしＬ４４で構成されている。
【０２４５】
ライトバルブとしてはＤＭＤが想定され、ＤＭＤはカバーガラスＣＧを有する。
【０２４６】
広角端から望遠端に変倍する際、第２レンズ群Ｇ２は縮小側に移動し、第３レンズ群Ｇ３と第４レンズ群Ｇ４は拡大側に移動する。
【０２４７】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２４８】
メニスカスレンズＬ１３は、縮小側に凹でレンズ周辺部分が縮小側に変曲されているメニスカスレンズである。
【０２４９】
第２レンズ群Ｇ２は負群で、拡大側に凸の正レンズＬ２１、拡大側に凸の負メニスカスレンズＬ２２、両凹レンズＬ２３、両凸レンズＬ２４で構成されている。
【０２５０】
拡大側に凸の正レンズＬ２１と拡大側に凸の負メニスカスレンズＬ２２とは接合されている。
【０２５１】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２５２】
負メニスカスレンズＬ４１と両凸レンズＬ４２とは接合されている。
【０２５３】
実施例７の、全系の焦点距離：Ｆの範囲、Ｆナンバ、広角端における半画角：ωｗは、以下のとおりである。
【０２５４】
Ｆ＝１３．１〜１９．６ｍｍ、Ｆｎｏ＝２．５５〜３．３４、ωｗ＝４１．８°
実施例７のデータを表２５に示す。
【０２５５】
【表２５】
2014219540.tif 000027
【０２５６】
「非球面のデータ」
非球面のデータを表２６に示す。
【０２５７】
【表２６】
2014219540.tif 000028
【０２５８】
投射距離を１６００ｍｍとしたときの、上記レンズ群間隔を、広角端・中間・望遠端について、表２７に示す。
【０２５９】
【表２７】
2014219540.tif 000029
【０２６０】
「各条件のパラメータの値」
条件（１）ないし（４）のパラメータの値を、表２８に示す。
【０２６１】
【表２８】
2014219540.tif 000030
【０２６２】
図１４に、実施例７の収差図を図２に倣って示す。
【０２６３】
「実施例８」
実施例８の投射用ズームレンズは、図１５に示したものである。
【０２６４】
図１５に示すように、第１レンズ群Ｇ１はレンズＬ１１ないしＬ１３で構成され、第２レンズ群Ｇ２はレンズＬ２１ないしＬ２４で構成されている。
【０２６５】
第３レンズ群Ｇ３は２枚のレンズＬ３１とＬ３２で構成されている。
【０２６６】
第４レンズ群Ｇ４は４枚のレンズＬ４１ないしＬ４４で構成されている。
【０２６７】
ライトバルブとしてはＤＭＤが想定され、ＤＭＤはカバーガラスＣＧを有する。
【０２６８】
広角端から望遠端に変倍する際、第２レンズ群Ｇ２は縮小側に移動し、第３レンズ群Ｇ３と第４レンズ群Ｇ４は拡大側に移動する。
【０２６９】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２７０】
メニスカスレンズＬ１３は、縮小側に凹でレンズ周辺部分が縮小側に変曲されているメニスカスレンズである。
【０２７１】
第２レンズ群Ｇ２は負群で、拡大側に凸の正レンズＬ２１、縮小側に凹の負メニスカスレンズＬ２２、両凹レンズＬ２３、両凸レンズＬ２４で構成されている。
【０２７２】
拡大側に凸の正レンズＬ２１と拡大側に凸の負メニスカスレンズＬ２２とは接合されている。
【０２７３】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２７４】
負メニスカスレンズＬ４１と両凸レンズＬ４２とは接合されている。
【０２７５】
実施例８の、全系の焦点距離：Ｆの範囲、Ｆナンバ、広角端における半画角：ωｗは、以下のとおりである。
【０２７６】
Ｆ＝１１．５〜１７．２ｍｍ、Ｆｎｏ＝２．５５〜３．３４、ωｗ＝４５．５°
実施例８のデータを表２９に示す。
【０２７７】
【表２９】
2014219540.tif 000031
【０２７８】
「非球面のデータ」
非球面のデータを表３０に示す。
【０２７９】
【表３０】
2014219540.tif 000032
【０２８０】
投射距離を１４００ｍｍとしたときの、上記レンズ群間隔を、広角端・中間・望遠端について、表３１に示す。
【０２８１】
【表３１】
2014219540.tif 000033
【０２８２】
「各条件のパラメータの値」
条件（１）ないし（４）のパラメータの値を、表３２に示す。
【０２８３】
【表３２】
2014219540.tif 000034
【０２８４】
図１６に、実施例８の収差図を図２に倣って示す。
【０２８５】
「実施例９」
実施例９の投射用ズームレンズは、図１７に示したものである。
【０２８６】
図１７に示すように、第１レンズ群Ｇ１はレンズＬ１１ないしＬ１３で構成され、第２レンズ群Ｇ２はレンズＬ２１ないしＬ２４で構成されている。
【０２８７】
第３レンズ群Ｇ３は２枚のレンズＬ３１とＬ３２で構成されている。
【０２８８】
第４レンズ群Ｇ４は４枚のレンズＬ４１ないしＬ４４で構成されている。
【０２８９】
前述の如く、ライトバルブとしてはＤＭＤが想定され、ＤＭＤはカバーガラスＣＧを有する。
【０２９０】
広角端から望遠端に変倍する際、第２レンズ群Ｇ２は縮小側に移動し、第３レンズ群Ｇ３と第４レンズ群Ｇ４は拡大側に移動する。
【０２９１】
第１レンズ群Ｇ１は負群で、拡大側に凸面を向けた負メニスカスレンズＬ１１、拡大側に凸面を向けた負メニスカスレンズＬ１２、メニスカスレンズＬ１３で構成されている。
【０２９２】
メニスカスレンズＬ１３は、縮小側に凹でレンズ周辺部分が縮小側に変曲されているメニスカスレンズである。
【０２９３】
第２レンズ群Ｇ２は負群で、拡大側に凸の正レンズＬ２１、縮小側に凹の負メニスカスレンズＬ２２、両凹レンズＬ２３、両凸レンズＬ２４で構成されている。
【０２９４】
拡大側に凸の正レンズＬ２１と拡大側に凸の負メニスカスレンズＬ２２は接合されている。
【０２９５】
第３レンズ群Ｇ３は正群で、２枚の正レンズＬ３１とＬ３２で構成されている。  
第４レンズ群Ｇ４は正群で、両凹レンズＬ４１、両凸レンズＬ４２、拡大側に凹の負メニスカスレンズＬ４３、両凸レンズＬ４４で構成されている。
【０２９６】
負メニスカスレンズＬ４１と両凸レンズＬ４２とは接合されている。
【０２９７】
実施例９の、全系の焦点距離：Ｆの範囲、Ｆナンバ、広角端における半画角：ωｗは、以下のとおりである。
【０２９８】
Ｆ＝１０．７〜１６．０ｍｍ、Ｆｎｏ＝２．５５〜３．３４、ωｗ＝４７．５°
実施例９のデータを表３３に示す。
【０２９９】
【表３３】
2014219540.tif 000035
【０３００】
「非球面のデータ」
非球面のデータを表３４に示す。
【０３０１】
【表３４】
2014219540.tif 000036
【０３０２】
投射距離を１３００ｍｍとしたときの、上記レンズ群間隔を、広角端・中間・望遠端について、表３５に示す。
【０３０３】
【表３５】
2014219540.tif 000037
【０３０４】
「各条件のパラメータの値」
条件（１）ないし（４）のパラメータの値を、表３６に示す。
【０３０５】
【表３６】
2014219540.tif 000038
【０３０６】
図１８に、実施例９の収差図を図２に倣って示す。
【０３０７】
収差図に示すように、各実施例の投射用ズームレンズともに、諸収差は高レベルで補正され、球面収差、非点収差、像面湾曲、倍率色収差、歪曲収差も十分に補正されている。
【０３０８】
実施例１ないし９に示されたように、第１レンズ群Ｇ１は、２または３枚のレンズで構成されている。
【０３０９】
第１レンズ群Ｇ１には、レンズ径の大きいレンズが用いられるが、実施例のように、第１レンズ群の構成を２枚または３枚とすることで、第１レンズ群を軽量化できる。
【０３１０】
この軽量化により、自重によるレンズの偏心を抑えることができる。  
実施例１ないし９において、第１レンズ群Ｇ１には「非点収差と歪曲収差の補正効果」を持たせている。
【０３１１】
このようにすることにより、変倍時における「像面湾曲と歪曲収差の変動を低減」させる効果を得ることができている。
【０３１２】
実施例１ないし９の投射用ズームレンズは何れも、広角端から望遠端への変倍の際、第１レンズ群Ｇ１が固定である。
【０３１３】
そして、第２レンズ群Ｇ２は縮小側に移動し、第３レンズ群Ｇ３は拡大側に移動する。
【０３１４】
各実施例の投射用ズームレンズにおいて、第１レンズ群Ｇ１はフォーカス群、第２レンズ群Ｇ２がコンペンセータ（収差補正群）、第３レンズ群が変倍群となっている。
【０３１５】
この発明の投射用ズームレンズは、広角端の半画角が３４度より大きい「広画角」であり、望遠端への変倍の際に、第４レンズ群Ｇ４を拡大側に移動させている。
【０３１６】
このようにすることにより、変倍の際の諸収差の変動を小さくできている。
【符号の説明】
【０３１７】
Ｇ１        第１レンズ群  
Ｇ２        第２レンズ群  
Ｇ３        第３レンズ群  
Ｇ４        第４レンズ群  
【先行技術文献】
【特許文献】
【０３１８】
【特許文献１】特開２０１２−１８９９７１号公報
【図１】
2014219540.tif 000039
【図２】
2014219540.tif 000040
【図３】
2014219540.tif 000041
【図４】
2014219540.tif 000042
【図５】
2014219540.tif 000043
【図６】
2014219540.tif 000044
【図７】
2014219540.tif 000045
【図８】
2014219540.tif 000046
【図９】
2014219540.tif 000047
【図１０】
2014219540.tif 000048
【図１１】
2014219540.tif 000049
【図１２】
2014219540.tif 000050
【図１３】
2014219540.tif 000051
【図１４】
2014219540.tif 000052
【図１５】
2014219540.tif 000053
【図１６】
2014219540.tif 000054
【図１７】
2014219540.tif 000055
【図１８】
2014219540.tif 000056
【図１９】
2014219540.tif 000057